(57)【要約】【課題】災害時などでの使用に好適であり、しかも、楽に使用できる機器及びそれを用いた通信ネットワークシステムを提供する。【解決手段】この充電器１は、携帯端末３に接続可能な携帯用の充電器であって、電源部１１と、携帯端末３に電源部１１からの電力を供給し、携帯端末３から入力データを入力し、携帯端末３に出力データを出力する携帯端末インターフェイス部１２と、当該充電器１に割り当てられたＩＤ情報１３ａを記憶するＩＤ部１３と、携帯端末インターフェイス部１２から前記入力データを入力しそれに応じたデータとＩＤ情報１３ａをメッシュ型通信ネットワークシステム２を介して他の充電器１に送信し、かつ、メッシュ型通信ネットワークシステム２を介して他の充電器１からデータを受信してそれに応じた前記出力データを携帯端末インターフェイス部１２に出力する通信ネットワークインターファイス部１４と、を有する。【選択図】図１
2018107637.tif 000002
【特許請求の範囲】
【請求項１】
携帯端末に接続可能な携帯用の充電器であって、
電源部と、
前記携帯端末にそれを充電するように前記電源部からの電力を供給し、前記携帯端末から入力データを入力し、前記携帯端末に出力データを出力する携帯端末インターフェイス部と、
メッシュ型通信ネットワークシステムの中で当該充電器に割り当てられたＩＤ情報を記憶するＩＤ部と、
前記携帯端末インターフェイス部から前記入力データを入力しそれに応じたデータと前記ＩＤ情報をメッシュ型通信ネットワークシステムを介して他の充電器又は他の機器に送信し、かつ、前記メッシュ型通信ネットワークシステムを介して前記他の充電器又は前記他の機器からデータを受信してそれに応じた前記出力データを前記携帯端末インターフェイス部に出力する通信ネットワークインターファイス部と、
を有することを特徴とする充電器。
【請求項２】
請求項１に記載の充電器を複数個備えて構成される前記メッシュ型通信ネットワークシステムであって、
前記他の機器として地域の情報センターの機器を更に備えて構成されることを特徴とするメッシュ型通信ネットワークシステム。
【発明の詳細な説明】
【技術分野】
【０００１】
本発明は、災害時などでの使用に好適な充電器及びそれを用いたメッシュ型通信ネットワークシステムに関する。
【背景技術】
【０００２】
近年、インターネット等の通信ネットワークシステムによってデータ（音声データを含む。）を用いたコミュニケーションが普及している。しかし、地域に災害が起こったときには、通信ネットワークシステムの基地局の被災又はそれへの処理能力を超えたデータの処理要求により、安否確認などを含めたコミュニケーションが取れなくなる状況が起こることが少なくない。
【０００３】
このため、従来より、電子案内板（例えば、特許文献１）や自動販売機（例えば、特許文献２）などの機器を用いて、災害時に、地域の住民同士のコミュニケーション又は地域の情報センターなどへのアクセスが可能な独自の災害時の通信ネットワークシステムが提案されている。
【先行技術文献】
【特許文献】
【０００４】
【特許文献１】特開２００７−１３３４７３号公報
【特許文献２】特開２０１１−０３９７６８号公報
【発明の概要】
【発明が解決しようとする課題】
【０００５】
しかしながら、電子案内板や自動販売機は、場所が固定されており、災害時に、使用者が殺到するときや降雨、降雪、厳寒のときなどでは使用者に酷な場合も有る。
【０００６】
本発明は、係る事由に鑑みてなされたものであり、その目的は、災害時などでの使用に好適であり、しかも、楽に使用できる機器及びそれを用いた通信ネットワークシステムを提供することにある。
【課題を解決するための手段】
【０００７】
上記目的を達成するために、請求項１に記載の充電器は、携帯端末に接続可能な携帯用の充電器であって、電源部と、前記携帯端末にそれを充電するように前記電源部からの電力を供給し、前記携帯端末から入力データを入力し、前記携帯端末に出力データを出力する携帯端末インターフェイス部と、メッシュ型通信ネットワークシステムの中で当該充電器に割り当てられたＩＤ情報を記憶するＩＤ部と、前記携帯端末インターフェイス部から前記入力データを入力しそれに応じたデータと前記ＩＤ情報をメッシュ型通信ネットワークシステムを介して他の充電器又は他の機器に送信し、かつ、前記メッシュ型通信ネットワークシステムを介して前記他の充電器又は前記他の機器からデータを受信してそれに応じた前記出力データを前記携帯端末インターフェイス部に出力する通信ネットワークインターファイス部と、を有することを特徴とする。
【０００８】
請求項２に記載の通信ネットワークシステムは、請求項１に記載の充電器を複数個備えて構成される前記メッシュ型通信ネットワークシステムであって、前記他の機器として地域の情報センターの機器を更に備えて構成されることを特徴とする。
【発明の効果】
【０００９】
本発明の充電器及びそれを用いたメッシュ型通信ネットワークシステムによれば、災害時などでの使用に好適であり、しかも、楽に使用できる。
【図面の簡単な説明】
【００１０】
【図１】本発明の実施形態に係る充電器及びメッシュ型通信ネットワークシステムを示す模式図である。
【図２】同上の充電器及びメッシュ型通信ネットワークシステムの具体的な動作を示すチャート図である。
【発明を実施するための形態】
【００１１】
以下、発明を実施するための形態を説明する。本発明の実施形態に係る充電器１は、図１に示すように、メッシュ型通信ネットワークシステム２を構成することができるものである。充電器１及びそれを用いたメッシュ型通信ネットワークシステム２は、後述するように、災害時などでの使用に好適である。
【００１２】
充電器１は、携帯端末３に接続可能であり、携帯用、つまり持ち運び可能な充電器である。携帯端末３は、スマートフォンやタブレットなど市販のものである。携帯端末３と充電器１の接続は、市販の接続ケーブル３Ａを用いるようにすればよい。なお、携帯端末３は、その契約している通信ネットワークシステム４の基地局４ａと通信し得る。
【００１３】
充電器１は、電源部１１、携帯端末インターフェイス部１２、ＩＤ部１３、通信ネットワークインターファイス部１４、を有している。また、充電器１の電源スイッチ１５を有している。また、その他、充電器１の制御のために必要な部分（図示せず）を有するようにできる。
【００１４】
電源部１１は、充電池（例えば、リチウムイオン電池など）を用いるものでも可能であるが、災害時には充電が困難な場合も有り得るので、乾電池を用いることができるものが好ましい。なお、乾電池は、それを使い切ったときには、代わりのものをコンビニエンスストア等で容易に購入可能である。
【００１５】
携帯端末インターフェイス部１２は、携帯端末３を充電するように電源部１１からの電力を供給するものである。また、携帯端末インターフェイス部１２は、携帯端末３とデータ（コマンドデータを含む。）のやり取りを行う、つまり、携帯端末３から入力データを入力し携帯端末３に出力データを出力する。
【００１６】
ＩＤ部１３は、メッシュ型通信ネットワークシステム２の中で当該充電器１に唯一に割り当てられたＩＤ情報１３ａを記憶する。ＩＤ部１３には、通常の不揮発性メモリなどを用いることができる。
【００１７】
通信ネットワークインターファイス部１４は、メッシュ型通信ネットワークシステム２を介して他の充電器１（又は後述する他の機器１’）と電波による無線で通信し得る。詳細には、通信ネットワークインターファイス部１４は、携帯端末インターフェイス部１２から前記入力データを入力しそれに応じたデータとＩＤ情報１３ａをメッシュ型通信ネットワークシステム２を介して他の充電器１（又は他の機器１’）に送信し、かつ、メッシュ型通信ネットワークシステム２を介して他の充電器１（又は他の機器１’）からデータを受信してそれに応じた前記出力データを携帯端末インターフェイス部１２に出力する。なお、通信ネットワークインターファイス部１４は、マイクロコンピュータ制御とし、充電器１の例えば後述するような具体的な動作をプログラムとして格納したり、充電器１全体の統一的な制御（例えば、ＩＤ情報１３ａの格納や読み出しなど）を行うようにしたりすることが可能である。
【００１８】
メッシュ型通信ネットワークシステム２は、同一機能の充電器１を複数個備えて構成される。また、必要に応じて、個々にＩＤ情報１３ａが割り当てられた他の機器１’を１個又は複数個更に備えて構成される。他の機器１’としては、地域の情報センターの機器１’を含むようにするのが好ましい。そうすると、充電器１は、災害時に地域の情報センターの機器１’にアクセスして必要な情報を得ることができる。
【００１９】
充電器１及びメッシュ型通信ネットワークシステム２の具体的な動作は、例えば、以下の通りにすることができる（図２参照）。すなわち、当該充電器１（以下、充電器１Ａと称す。）において、電源スイッチ１５がオンされる（ステップＳ１）と、通信ネットワークインターファイス部１４は、周りの通信可能な他の充電器１（以下、機器１Ｂと称す。）を探索するデータ内容の電波を発信する（ステップＳ２）。機器１Ｂは、他の機器１’であってもよい。機器１Ｂは、探索のデータ内容の電波を受信すると、そのデータ内容に含まれるＩＤ情報１３ａを取り出して発信元を把握する（ステップＳ３）。そして、充電器１Ａに相互認証処理のデータ内容の電波を発信し、充電器１Ａとの間で相互認証処理を開始する（ステップＳ４）。充電器１Ａは相互認証処理のデータ内容の電波を受信すると、そのデータ内容に含まれるＩＤ情報１３ａを取り出して発信元を把握する（ステップＳ５）。そして、機器１Ｂに相互認証処理のデータ内容の電波を発信し、機器１Ｂとの間で相互認証処理を開始する（ステップＳ６）。充電器１Ａと機器１Ｂがともに相手方を認証すると、相互認証済みとなり、接続状態になる（ステップＳ７、Ｓ７’）。
【００２０】
充電器１Ａに携帯端末３が接続されると、携帯端末３は、充電器１Ａを通してメッシュ型通信ネットワークシステム２を使用することができるようになる。充電器１Ａは、メッシュ型通信ネットワークシステム２を介して更に他の充電器１（以下、機器１Ｃと称す。）にデータを送信又はそれからデータを受信しようとするときは、相互認証済みの機器（機器１Ｂを含む。）に機器１Ｃと相互認証済みか否かを問い合わせ、経路を探索する（ステップＳ８、Ｓ８’）。機器１Ｃは、他の機器１’であってもよい。機器１Ｂが機器１Ｃと相互認証済みである場合、充電器１Ａは、機器１Ｂに機器１Ｃ向けのデータを送信する（ステップＳ９）。そして、機器１Ｂは、充電器１Ａから受信したデータを機器１Ｃに送信し（ステップＳ９’）、機器１Ｃは、そのデータを受信する（ステップＳ９’’）。機器１Ｃがデータを送信する場合は、機器１Ｂに充電器１Ａ向けのデータを送信する。そして、機器１Ｂは、機器１Ｃから受信したデータを充電器１Ａに送信し、充電器１Ａは、そのデータを受信する。
【００２１】
なお、充電器１Ａが機器１Ｃにデータを送信又はそれからデータを受信しようとするとき、機器１Ｂと機器１Ｃの間に、その他の機器を介することも可能であるし、機器１Ｂの代わりに他の相互認証済みの機器を使用することも可能である。また、当然であるが、充電器１Ａが機器１Ｂにデータを送信又はそれからデータを受信しようとするときは、単純に、充電器１Ａは、機器１Ｂにデータを送信し、又はそれからデータを受信する。
【００２２】
以上説明したようにして、充電器１Ａは、目的の機器１Ｃが遠くにあっても、それにデータを送信又はそれからデータを受信することができ、しかも、充電器１Ａから機器１Ｃまでは複数個の経路が可能である。こうして、災害時に、目的の機器１Ｃに安否確認の情報を送ったり機器１Ｃから安否確認の情報を受け取ったりすることが容易になる。また、メッシュ型通信ネットワークシステム２を構成しているのは、ＩＤ情報１３ａが割り当てられた充電器１、１、・・・又は他の機器１’、１’、・・・であるので、データの混雑も少ない。また、メッシュ型通信ネットワークシステム２では、基地局は必要とされない。
【００２３】
このように、充電器１及びメッシュ型通信ネットワークシステム２は、災害時などでの使用に好適である。また、使用者は、自由な場所で楽に使用できる。
【００２４】
充電器１及びメッシュ型通信ネットワークシステム２は、災害時以外の平常時には、地域のコミュニケーションに用いることができる。ゲームのネットワークを構築することも可能である。また、使用者が日常使用しているＩＯＴ対応のものと通信することも可能であり、この場合、災害時には迅速にその状態をチェックすることができる。
【００２５】
以上、本発明の実施形態である充電器及びそれを用いたメッシュ型通信ネットワークシステムについて説明したが、本発明は、実施形態に記載したものに限られることなく、特許請求の範囲に記載した事項の範囲内でのさまざまな設計変更が可能である。
【符号の説明】
【００２６】
１    充電器
１’  他の機器
１１  電源部
１２  携帯端末インターフェイス部
１３  ＩＤ部
１３ａ  ＩＤ情報
１４  通信ネットワークインターファイス部
２    メッシュ型通信ネットワークシステム
３    携帯端末
４    携帯端末の契約している通信ネットワークシステム
【図１】
2018107637.tif 000003
【図２】
2018107637.tif 000004